(57)【特許請求の範囲】
【請求項１】
ディスク状記録媒体にアクセスするディスク駆動装置において、
内部温度を検出する温度検出手段と、
前記内部温度の変化に基づいて当該ディスク駆動装置を稼動状態または停止状態の何れかに移行させる温度制御手段と
を具備し、
前記温度制御手段が当該ディスク駆動装置を前記停止状態に移行させる第１の温度は、前記稼動状態に移行させる第２の温度よりも高温であり、
前記温度制御手段は、前記内部温度が上昇して前記第２の温度を超えてから前記第１の温度を超えるまでの間の状態では高温である旨の警告表示を行わせ、前記内部温度がさらに前記第１の温度を超えて上昇すると当該ディスク駆動装置を前記停止状態に移行させ、前記内部温度が前記第２の温度より高温から低温に低下すると当該ディスク駆動装置を前記稼動状態に移行させる
ディスク駆動装置。
【請求項２】
前記内部温度を低下させる冷温手段をさらに具備し、
前記温度制御手段は、前記内部温度が前記第１の温度より低温から高温に上昇すると前記冷温手段を動作させ、前記内部温度が前記第２の温度より高温から低温に低下すると前記冷温手段を停止させる請求項１記載のディスク駆動装置。
【請求項３】
当該ディスク駆動装置の電源の投入または切断の操作指示を受け付ける操作受付手段と、
前記電源切断の操作指示が受け付けられるとその時点の前記内部温度に関する情報を保存する保存手段と、
前記温度制御手段は、前記電源投入の操作指示が受け付けられると前記保存手段に保存された情報に基づいて前記内部温度に関する情報を復元する
請求項１記載のディスク駆動装置。
【請求項４】
現在時刻を計時するタイマーをさらに具備し、
前記保存手段は、前記内部温度に関する情報とともに前記現在時刻を保存時刻として保存し、
前記温度制御手段は、前記電源投入の操作指示が受け付けられると前記保存手段に保存された保存時刻が前記タイマーに計時されている現在時刻から所定時間以内である場合にのみ前記内部温度に関する情報の復元を行う
請求項３記載のディスク駆動装置。
【請求項５】
ディスク状記録媒体にアクセスするディスク駆動装置を備える撮像装置において、
画像を撮像して画像データとして前記ディスク駆動装置に記録する撮像手段と、
前記ディスク駆動装置から前記画像データを読み出して再生する再生手段と、
前記ディスク駆動装置の温度を検出する温度検出手段と、
前記ディスク駆動装置の温度の変化に基づいて前記ディスク駆動装置を稼動状態または停止状態の何れかに移行させる温度制御手段と
を具備し、
前記温度制御手段が当該ディスク駆動装置を前記停止状態に移行させる第１の温度は、前記稼動状態に移行させる第２の温度よりも高温であり、
前記温度制御手段は、前記内部温度が上昇して前記第２の温度を超えてから前記第１の温度を超えるまでの間の状態では高温である旨の警告表示を行わせ、前記内部温度がさらに前記第１の温度を超えて上昇すると当該ディスク駆動装置を前記停止状態に移行させ、前記内部温度が前記第２の温度より高温から低温に低下すると当該ディスク駆動装置を前記稼動状態に移行させる
撮像装置。
【請求項６】
ディスク状記録媒体にアクセスするディスク駆動装置における制御方法であって、
内部温度を検出する手順と、
前記内部温度が第１の温度より高温であれば前記ディスク駆動装置を停止状態に維持する手順と、
前記内部温度が前記第１の温度より低い第２の温度より低温であれば前記ディスク駆動装置を稼動状態に維持する手順と、
前記内部温度が前記第１の温度より低温から高温に上昇すると前記ディスク駆動装置を前記停止状態に移行させる手順と、
前記内部温度が前記第２の温度より高温から低温に低下すると前記ディスク駆動装置を前記稼動状態に移行させる手順と、
前記内部温度が上昇して前記第２の温度を超えてから前記第１の温度を超えるまでの間の状態では高温である旨の警告表示を行わせる手順と
を具備するディスク駆動装置の制御方法。
【請求項７】
ディスク状記録媒体にアクセスするディスク駆動装置において、
内部温度を検出する手順と、
前記内部温度が第１の温度より高温であれば前記ディスク駆動装置を停止状態に維持する手順と、
前記内部温度が前記第１の温度より低い第２の温度より低温であれば前記ディスク駆動装置を稼動状態に維持する手順と、
前記内部温度が前記第１の温度より低温から高温に上昇すると前記ディスク駆動装置を前記停止状態に移行させる手順と、
前記内部温度が前記第２の温度より高温から低温に低下すると前記ディスク駆動装置を前記稼動状態に移行させる手順と、
前記内部温度が上昇して前記第２の温度を超えてから前記第１の温度を超えるまでの間の状態では高温である旨の警告表示を行わせる手順と
をコンピュータに実行させるプログラム。
【発明の詳細な説明】
【技術分野】
【０００１】
本発明は、ディスク駆動装置に関し、特にディスク状記録媒体にアクセスするディスク駆動装置、そのディスク駆動装置を搭載した撮像装置、および、これらにおける処理方法ならびに当該方法をコンピュータに実行させるプログラムに関する。
【背景技術】
【０００２】
ディスク状記録媒体を利用するディスク駆動装置は、パーソナルコンピュータなどのコンピュータ製品のみならず、デジタルビデオカメラなどの撮像装置にも用いられるようになっている。このようなディスク駆動装置の普及に伴い、例えば屋外や寒冷地等、温度的に過酷な環境下において使用される機会が多くなってきている。
【０００３】
一般に、ディスク駆動装置には使用環境温度の範囲が定められている。例えば、ハードディスク装置では、内部温度が極端に低下した環境において、ディスクの回転始動によって常温とは異なる共振モードによる異常音が発生し、もしくは、ディスクの記録面と磁気ヘッドとの接触（ＣＳＳ：Contact Start Stop）の際に潤滑剤の粘度上昇等による摩擦抵抗の上昇が発生する場合がある。
【０００４】
そこで、ディスク駆動装置の内部温度を検出して、その温度が所定値以下である場合にはディスク状記録媒体へのアクセスを禁止する装置が提案されている（例えば、特許文献１参照。）。
【特許文献１】特開平１０−３４０５２１号公報（図１）
【発明の開示】
【発明が解決しようとする課題】
【０００５】
しかしながら、従来の温度制御では、低温時にウォームアップ動作を行い、所定温度に到達した後にウォームアップ動作を終了すると、使用環境によってはその直後に所定温度を再び下回ることになり、再度ウォームアップ動作を開始する場合がある。これは高温時も同様で、使用環境によっては冷却動作が断続的に繰り返す場合もある。このような低温時および高温時にはディスク駆動装置の動作を停止させる必要があるため、温度の変動に伴って稼動状態および停止状態を繰り返して、ディスク駆動装置全体としての動作が不安定になる。
【０００６】
そこで、本発明は、ディスク駆動装置の温度制御において稼動状態および停止状態の繰り返しを防止することを目的とする。
【課題を解決するための手段】
【０００７】
本発明は、上記課題を解決するためになされたものであり、その第１の側面は、ディスク状記録媒体にアクセスするディスク駆動装置において、内部温度を検出する温度検出手段と、上記内部温度の変化に基づいて当該ディスク駆動装置を稼動状態または停止状態の何れかに移行させる温度制御手段とを具備し、上記温度制御手段が当該ディスク駆動装置を上記停止状態に移行させる第１の温度と上記稼動状態に移行させる第２の温度とが互いに異なることを特徴とするディスク駆動装置である。これにより、ディスク駆動装置の動作制御にヒステリシス特性を持たせるという作用をもたらす。
【０００８】
また、この第１の側面において、上記第１の温度は上記第２の温度よりも低温である場合において、上記内部温度が上記第１の温度より高温から低温に低下すると上記温度制御手段が当該ディスク駆動装置を上記停止状態に移行させ、上記内部温度が上記第２の温度より低温から高温に上昇すると上記温度制御手段が当該ディスク駆動装置を上記稼動状態に移行させるようにしてもよい。これにより、低温時の動作を安定させるという作用をもたらす。また、このとき、上記内部温度を上昇させる加温手段をさらに具備し、上記内部温度が上記第１の温度より高温から低温に低下すると上記温度制御手段が上記加温手段を動作させ、上記内部温度が上記第２の温度より低温から高温に上昇すると上記温度制御手段が上記加温手段を停止させるようにしてもよい。これにより、速やかに動作を安定させるという作用をもたらす。
【０００９】
また、この第１の側面において、上記第１の温度は上記第２の温度よりも高温であり、上記内部温度が上記第１の温度より低温から高温に上昇すると上記温度制御手段が当該ディスク駆動装置を上記停止状態に移行させ、上記内部温度が上記第２の温度より高温から低温に低下すると上記温度制御手段が当該ディスク駆動装置を上記稼動状態に移行させるようにしてもよい。これにより、高温時の動作を安定させるという作用をもたらす。また、このとき、上記内部温度を低下させる冷温手段をさらに具備し、上記内部温度が上記第１の温度より低温から高温に上昇すると上記温度制御手段が上記冷温手段を動作させ、上記内部温度が上記第２の温度より高温から低温に低下すると上記温度制御手段が上記冷温手段を停止させるようにしてもよい。これにより、速やかに動作を安定させるという作用をもたらす。
【００１０】
また、この第１の側面において、当該ディスク駆動装置の電源の投入または切断の操作指示を受け付ける操作受付手段と、上記電源切断の操作指示が受け付けられるとその時点の上記内部温度に関する情報を保存する保存手段と、上記温度制御手段は、上記電源投入の操作指示が受け付けられると上記保存手段に保存された情報に基づいて上記内部温度に関する情報を復元するようにしてもよい。これにより、電源切断前の制御状態を引き継いで効率良い温度制御を行わせるという作用をもたらす。このとき、現在時刻を計時するタイマーをさらに具備し、上記保存手段が上記内部温度に関する情報とともに上記現在時刻を保存時刻として保存し、上記電源投入の操作指示が受け付けられると上記保存手段に保存された保存時刻が上記タイマーに計時されている現在時刻から所定時間以内である場合にのみ上記温度制御手段が上記内部温度に関する情報の復元を行うようにしてもよい。これにより、環境の変化に合致した復元を行わせるという作用をもたらす。
【００１１】
また、本発明の第２の側面は、ディスク状記録媒体にアクセスするディスク駆動装置を備える撮像装置において、画像を撮像して画像データとして上記ディスク駆動装置に記録する撮像手段と、上記ディスク駆動装置から上記画像データを読み出して再生する再生手段と、上記ディスク駆動装置の温度を検出する温度検出手段と、上記ディスク駆動装置の温度の変化に基づいて上記ディスク駆動装置を稼動状態または停止状態の何れかに移行させる温度制御手段とを具備し、上記温度制御手段が当該ディスク駆動装置を上記停止状態に移行させる第１の温度と上記稼動状態に移行させる第２の温度とが互いに異なることを特徴とする撮像装置である。これにより、撮像装置におけるディスク駆動装置の動作制御にヒステリシス特性を持たせるという作用をもたらす。
【００１２】
また、本発明の第２の側面は、ディスク状記録媒体にアクセスするディスク駆動装置において、内部温度を検出する手順と、上記内部温度が第１の温度より低温であれば上記ディスク駆動装置を停止状態に維持する手順と、上記内部温度が上記第１の温度より高い第２の温度より高温であれば上記ディスク駆動装置を稼動状態に維持する手順と、上記内部温度が上記第１の温度より高温から低温に低下すると上記ディスク駆動装置を上記停止状態に移行させる手順と、上記内部温度が上記第２の温度より低温から高温に上昇すると上記ディスク駆動装置を上記稼動状態に移行させる手順とを具備することを特徴とするディスク駆動装置の制御方法またはこれら手順をコンピュータに実行させるプログラムである。これにより、ディスク駆動装置の動作制御にヒステリシス特性を持たせるという作用をもたらす。
【発明の効果】
【００１３】
本発明によれば、ディスク駆動装置の温度制御において稼動状態および停止状態の繰り返しを防止することができるという優れた効果を奏し得る。
【発明を実施するための最良の形態】
【００１４】
次に本発明の実施の形態について図面を参照して詳細に説明する。
【００１５】
図１は、本発明の実施の形態における撮像装置２００の一構成例を示す図である。この撮像装置２００はディスク駆動装置１００を含み、さらに撮像部２１０、再生部２２０、電源供給部２３０、電源制御部２４０、操作受付部２５０、および、表示部２６０を備えて構成される。
【００１６】
撮像部２１０は、被写体を撮像して画像データを生成するものである。この撮像部２１０は、被写体光を光電変換してアナログ画像信号を生成する固定撮像素子を含む。また、この撮像部２１０は、固体撮像素子で生成されたアナログ画像信号をデジタル画像信号に変換する画像信号処理機能を含む。さらに、この撮像部２１０は、デジタル画像信号を圧縮変換する圧縮機能を含む。この撮像部２１０によって生成されたデジタル画像信号は、ディスク駆動装置１００に書き込まれる。再生部２２０は、ディスク駆動装置１００から読み出したデジタル画像信号を再生するものである。
【００１７】
電源供給部２３０は、撮像装置２００の各部に電源を供給するものである。電源制御部２４０は、電源供給部２３０による電源供給を制御するものである。操作受付部２５０は、ユーザからの操作入力を受け付けるものである。ここでは、ユーザからの操作入力として、特に電源操作に関する操作入力を想定する。
【００１８】
電源制御部２４０は、操作受付部２５０により受け付けられた電源操作に関する入力、および、温度制御部１３０からの制御に従って、電源供給部２３０による電源供給を制御する
【００１９】
表示部２６０は、再生部２２０によって再生された内容を表示するものである。また、表示部２６０は、ディスク駆動装置１００によって生成された警告メッセージなども表示する。
【００２０】
また、ディスク駆動装置１００は、記録媒体１１０と、ディスク制御部１２０と、温度制御部１３０と、温度センサー１４０と、前回情報保存部１５０と、加温部１６０と、冷温部１７０とを備える。
【００２１】
記録媒体１１０は、ディスク状の記録媒体である。この記録媒体１１０は、磁気やレーザビームの照射などにより記録を行い、また、再生レーザビームにより再生を行うことが可能である。
【００２２】
ディスク制御部１２０は、記録媒体１１０に対するアクセスを制御するものである。このディスク制御部１２０は、撮像部２１０から供給されたデジタル画像信号を記録媒体１１０に書き込み、また、記録媒体１１０から読み出したデジタル画像信号を再生部２２０に供給する。
【００２３】
温度センサー１４０は、ディスク駆動装置１００の内部温度を感知するものである。加温部１６０は、ディスク駆動装置１００の内部温度を上昇させるものである。この加温部１６０としては、例えばパワーＦＥＴ（Field Effect Transistor）などを利用することができる。冷温部１７０は、ディスク駆動装置１００の内部温度を低下させるものである。この冷温部１７０としては、例えばファンなどを利用することができる。
【００２４】
温度制御部１３０は、ディスク駆動装置１００における温度に関する制御を行うものである。この温度制御部１３０は、温度センサー１４０により感知されたディスク駆動装置１００の内部温度の変化に基づいて、ディスク制御部１２０に対してディスク駆動装置１００の稼動または停止の指示を行い、また、加温部１６０または冷温部１７０の制御を行う。また、温度制御部１３０は、必要に応じて警告メッセージを生成して、表示部２６０に表示させる。
【００２５】
前回情報保存部１５０は、電源が切断（オフ）された際の温度状態などを保存するものである。温度制御部１３０は、次に電源の投入（オン）された時に、この前回情報保存部１５０の内容を読み出して、温度状態を復元する。電源が切断または投入されるタイミングは、電源制御部２４０から温度制御部１３０に伝達される。
【００２６】
この前回情報保存部１５０は、撮像装置２００の電源が切断された状態で保存内容を維持する必要があるため、例えばフラッシュメモリなどの不揮発性の記録媒体が利用される。
【００２７】
図２は、本発明の実施の形態における前回情報保存部１５０の一構成例を示す図である。この前回情報保存部１５０は、有効フラグ１５１、電源切断日時１５２、および、温度状態１５３の各フィールドから構成される。
【００２８】
有効フラグ１５１は、この前回情報保存部１５０に保存されている内容が有効なものであるか否かを示すフラグであり、例えば「０」であれば無効を、「１」であれば有効をそれぞれ意味するものとする。
【００２９】
電源切断日時１５２は、前回、電源が切断された日時を示すフィールドである。すなわち、この電源切断日時１５２は、温度状態１５３の保存された日時を表すことになる。
【００３０】
温度状態１５３は、前回、電源が切断された際のディスク駆動装置１００の温度状態を示すフィールドである。本発明の実施の形態においては４つの温度状態を想定しており、例えば、「００」であれば高温状態を、「１０」であればプリ高温状態を、「１１」であれば標準状態を、「０１」であれば低温状態をそれぞれ意味するものとする。
【００３１】
図３は、本発明の実施の形態における温度状態の一例を示す図である。上述のように、本発明の実施の形態においては、高温状態、プリ高温状態、標準状態、および、低温状態の４つの温度状態を想定している。
【００３２】
高温状態は、ディスク駆動装置１００の内部温度が高く、ディスク駆動装置１００を稼動することができない状態である。プリ高温状態は、ディスク駆動装置１００の内部温度が高くなりつつあり、このまま温度が上昇するとディスク駆動装置１００を稼動することができなくなる状態である。低温状態は、ディスク駆動装置１００の内部温度が低く、ディスク駆動装置１００を稼動することができない状態である。標準状態は、ディスク駆動装置１００の内部温度が高くも低くもない適正なレベルにある状態である。
【００３３】
高温状態においては、温度制御部１３０は、高温である旨の警告を表示部２６０に表示させるとともに、ディスク制御部１２０に対してディスク駆動装置１００の動作を停止させる。また、プリ高温状態においては、温度制御部１３０は、高温である旨の警告を表示部２６０に表示させるが、ディスク駆動装置１００の動作は停止させない。低温状態においては、温度制御部１３０は、低温である旨の警告を表示部２６０に表示させるとともに、ディスク制御部１２０に対してディスク駆動装置１００の動作を停止させる。標準状態においては、ディスク駆動装置１００は稼動し、警告もされない。
【００３４】
この温度状態は常に変化するものであり、その内容は温度制御部１３０の内部で管理される。
【００３５】
図４は、本発明の実施の形態における温度制御部１３０の温度状態管理機能の一例を示す図である。ここでは、温度制御部１３０の機能として、温度状態保持部１３３と、周期タイマー１３４と、新温度状態決定部１３５と、ディスク動作判定部１３６と、温度調整判定部１３７と、警告判定部１３８とが示されている。
【００３６】
温度状態保持部１３３は、図３により説明した温度状態を保持するものである。この温度状態は常に変化するものであり、その新しい温度状態は新温度状態決定部１３５により決定される。また、温度状態保持部１３３に保持される温度状態を更新する周期は周期タイマー１３４により計時される。周期タイマー１３４は、例えば、１６．６乃至２０ミリ秒程度を一周期として計時する。新温度状態決定部１３５は、温度状態保持部１３３に保持される温度状態と温度センサー１４０により感知された温度とに基づいて、新たな温度状態を決定する。
【００３７】
ディスク動作判定部１３６は、新たな温度状態に従って、ディスク駆動装置１００の新たな動作状態を判定するものである。このディスク動作判定部１３６は、判定結果に応じてディスク制御部１２０に対してディスク駆動装置１００の稼動もしくは停止の指示を行う。
【００３８】
温度調整判定部１３７は、新たな温度状態に従って、温度調整の要否を判定するものである。この温度調整判定部１３７は、判定結果に応じて加温部１６０または冷温部１７０の稼動もしくは停止などの指示を行う。
【００３９】
警告判定部１３８は、新たな温度状態に従って、警告表示の要否を判定するものである。この警告判定部１３８は、判定結果に応じて警告メッセージを生成して、表示部２６０に表示させる。
【００４０】
なお、新たな温度状態の決定手法およびこの新たな温度状態に基づく動作については後述する。
【００４１】
図５は、本発明の実施の形態における温度制御部１３０の温度状態保存機能の一例を示す図である。ここでは、温度制御部１３０の機能として、現在日時タイマー１３１と、保存制御部１３２と、温度状態保持部１３３とが示されている。
【００４２】
現在日時タイマー１３１は、現在の日付および時刻を計時するものである。温度状態保持部１３３は、上述のように、温度状態を保持するものである。保存制御部１３２は、電源の切断から投入の間に温度状態を保存するよう制御するものである。
【００４３】
保存制御部１３２は、電源制御部２４０から電源切断の発生を受けると、現在日時タイマー１３１および温度状態保持部１３３の内容を前回情報保存部１５０に保存させる。すなわち、前回情報保存部１５０の電源切断日時１５２に現在日時タイマー１３１の内容を保存させ、前回情報保存部１５０の温度状態１５３に温度状態保持部１３３の内容を保存させる。また、このとき、保存制御部１３２は有効フラグ１５１を「有効」にする。
【００４４】
保存制御部１３２は、電源制御部２４０から電源投入の発生を受けると、前回情報保存部１５０の電源切断日時１５２と現在日時タイマー１３１の内容とを比べて、電源切断の時刻から現在時刻までの間が所定時間内（例えば、３０分以内）か否かを判断する。所定時間内であれば、前回情報保存部１５０の温度状態１５３の内容が温度状態保持部１３３に保持される。一方、所定時間内でなければ、温度状態保持部１３３には「標準状態」が保持される。このとき、保存制御部１３２は有効フラグ１５１を「無効」にする。
【００４５】
図６は、本発明の実施の形態における温度状態の遷移サイクルの一例を示す図である。ここでは、ディスク駆動装置１００の温度として、高い順に温度Ａ、温度Ｂ、温度Ｃ、温度Ｄの基準値を想定する。例えば、温度Ａは６０℃、温度Ｂは４０℃、温度Ｃは２０℃、温度Ｄは０℃と仮定することができる。
【００４６】
ディスク駆動装置１００の温度が温度Ａを超えると高温状態となり、温度が低下して温度Ｂを下るまでは高温状態を維持する。高温状態から温度Ｂを下ると標準状態となり、温度が低下して温度Ｄを下るまでは標準状態を維持する。標準状態から温度Ｄを下ると低温状態となり、温度が上昇して温度Ｃを超えるまでは低温状態を維持する。低温状態から温度Ｃを超えると標準状態となり、温度が上昇して温度Ｂを超えるまでは標準状態を維持する。標準状態から温度Ｂを超えるとプリ高温状態となり、さらに温度が上昇して温度Ａを超えるまではプリ高温状態を維持する。これらを温度状態の遷移サイクルとよぶ。
【００４７】
図７は、本発明の実施の形態における温度状態の遷移表の一例を示す図である。この遷移表では、縦方向に元の温度状態が配置され、横方向に新たな温度状態が配置されている。そして、各交点には、温度センサー１４０によって感知された現在の温度の範囲が遷移条件として示されている。
【００４８】
すなわち、元の温度状態が高温状態である場合において、現在の温度が温度Ｄ以上かつ温度Ｂ未満であれば新たな温度状態として標準状態に遷移し、現在の温度が温度Ｄ未満であれば新たな温度状態として低温状態に遷移する。
【００４９】
また、元の温度状態がプリ高温状態である場合において、現在の温度が温度Ａ以上であれば新たな温度状態として高温状態に遷移し、現在の温度が温度Ｄ以上かつ温度Ｂ未満であれば新たな温度状態として標準状態に遷移し、現在の温度が温度Ｄ未満であれば新たな温度状態として低温状態に遷移する。
【００５０】
また、元の温度状態が標準状態である場合において、現在の温度が温度Ａ以上であれば新たな温度状態として高温状態に遷移し、現在の温度が温度Ｂ以上かつ温度Ａ未満であれば新たな温度状態としてプリ高温状態に遷移し、現在の温度が温度Ｄ未満であれば新たな温度状態として低温状態に遷移する。
【００５１】
また、元の温度状態が低温状態である場合において、現在の温度が温度Ａ以上であれば新たな温度状態として高温状態に遷移し、現在の温度が温度Ｂ以上かつ温度Ａ未満であれば新たな温度状態としてプリ高温状態に遷移し、現在の温度が温度Ｃ以上かつ温度Ｂ未満であれば新たな温度状態として標準状態に遷移する。
【００５２】
これらの遷移条件を図示したものが図８の遷移図である。この遷移図では、高温状態１１、プリ高温状態１２、標準状態１３および低温状態１４の間で状態を遷移させるために必要な条件がそれぞれの矢印に付されている。
【００５３】
図９は、本発明の実施の形態におけるディスク駆動装置１００の動作制御表の一例を示す図である。この動作制御表では、縦方向に元の温度状態が配置され、横方向に新たな温度状態が配置されている。そして、各交点には、温度制御部１３０のディスク動作判定部１３６からディスク制御部１２０に対する制御内容が示されている。
【００５４】
元の温度状態が高温状態である場合において、標準状態に遷移したときにはディスク駆動装置１００は停止状態から稼動状態に移行し、低温状態に遷移したときにはディスク駆動装置１００は停止状態を維持する。
【００５５】
また、元の温度状態がプリ高温状態である場合において、高温状態または低温状態に遷移したときにはディスク駆動装置１００は稼動状態から停止状態に移行し、標準状態に遷移したときにはディスク駆動装置１００は稼動状態を維持する。
【００５６】
また、元の温度状態が標準状態である場合において、高温状態または低温状態に遷移したときにはディスク駆動装置１００は稼動状態から停止状態に移行し、プリ高温状態に遷移したときにはディスク駆動装置１００は稼動状態を維持する。
【００５７】
また、元の温度状態が低温状態である場合において、高温状態に遷移したときにはディスク駆動装置１００は停止状態を維持し、プリ高温状態または標準状態に遷移したときにはディスク駆動装置１００は停止状態から稼動状態に移行する。
【００５８】
すなわち、図３からもわかるように、新たな温度状態が高温状態または低温状態であればディスク駆動装置１００は停止状態となり、新たな温度状態が標準状態またはプリ高温状態であればディスク駆動装置１００は稼動状態となる。
【００５９】
次に本発明の実施の形態における撮像装置２００の動作について図面を参照して説明する。
【００６０】
図１０は、本発明の実施の形態における撮像装置２００の処理手順の一例を示す図である。まず、操作受付部２５０によって電源投入操作が受け付けられると、その旨が電源制御部２４０を介して保存制御部１３２に伝達され、前回情報保存部１５０の内容が読み出される（ステップＳ９１１）。
【００６１】
このとき、前回情報保存部１５０の有効フラグ１５１が「有効」を示し（ステップＳ９１２）、かつ、電源切断日時１５２から現在日時タイマー１３１に計時されている現時点までの時間が所定時間内（この例では３０分以内）である場合には（ステップＳ９１３）、温度状態１５３を温度状態保持部１３３に保持させる（ステップＳ９１４）。一方、前回情報保存部１５０の有効フラグ１５１が「無効」を示し（ステップＳ９１２）、または、電源切断日時１５２から現時点までの時間が所定時間を超えている場合には（ステップＳ９１３）、温度状態保持部１３３に「標準状態」を保持させる（ステップＳ９１５）。
【００６２】
そして、前回情報保存部１５０の有効フラグ１５１は「無効」にされる（ステップＳ９１６）。
【００６３】
その後、操作受付部２５０によって電源切断操作が受け付けられるまでの間（ステップＳ９１８）、周期タイマー１３４の周期（例えば、１６．６乃至２０ミリ秒程度）が到来する度に（ステップＳ９１７）、定常処理（ステップＳ９３０）が行われる。
【００６４】
操作受付部２５０によって電源切断操作が受け付けられると、その旨が電源制御部２４０を介して保存制御部１３２に伝達され、現在日時タイマー１３１および温度状態保持部１３３の内容が前回情報保存部１５０に保存される（ステップＳ９１９）。
【００６５】
図１１は、本発明の実施の形態における定常処理（ステップＳ９３０）の処理手順の一例を示す図である。この定常処理は、周期タイマー１３４の周期に従って定期的に行われるものである。まず、温度センサー１４０によってディスク駆動装置１００の温度が取得され（ステップＳ９３１）、その温度と温度状態保持部１３３に保持された温度状態とから新温度状態決定部１３５によって新たな温度状態が決定される（ステップＳ９３２）。
【００６６】
決定された新たな温度状態が高温状態またはプリ高温状態である場合には（ステップＳ９３３）、警告判定部１３８によって表示部２６０に高温である旨の警告表示が行われる（ステップＳ９３５）。一方、決定された新たな温度状態が低温状態である場合には（ステップＳ９３４）、警告判定部１３８によって表示部２６０に低温である旨の警告表示が行われる（ステップＳ９３６）。すなわち、決定された新たな温度状態が標準状態である場合には、警告表示は行われない。
【００６７】
また、決定された新たな温度状態が高温状態または低温状態である場合には（ステップＳ９３７）、ディスク動作判定部１３６によってディスク駆動装置１００の動作は停止状態となる（ステップＳ９３８）。一方、決定された新たな温度状態が標準状態またはプレ高温状態である場合には（ステップＳ９３７）、ディスク駆動装置１００の動作は稼動状態となる（ステップＳ９３９）。
【００６８】
そして、必要に応じて温度調整判定部１３７を介して温度調整処理（ステップＳ９４０）が行われた後、ステップＳ９３２において決定された新たな温度状態が温度状態保持部１３３に保持される（ステップＳ９５１）。
【００６９】
図１２は、本発明の実施の形態における温度調整処理（ステップＳ９４０）の処理手順の一例を示す図である。この温度調整処理は定常処理（ステップＳ９３０）において必要に応じて行われるものである。
【００７０】
一例として、ステップＳ９３２において決定された新たな温度状態が高温状態またはプリ高温状態である場合には（ステップＳ９４１）、温度調整判定部１３７は冷温部１７０を稼動させる（ステップＳ９４３）。そして、決定された新たな温度状態が低温状態である場合には（ステップＳ９４２）、温度調整判定部１３７は加温部１６０を稼動させる（ステップＳ９４４）。
【００７１】
また、他の例として、ステップＳ９４３において冷温部１７０を稼動させる条件を、決定された新たな温度状態が高温状態である場合に限り、プリ高温状態を除外するようにしてもよい。
【００７２】
また、ここでは、冷温が必要となった際に冷温部１７０を稼動させる例について説明したが、これに限らず、例えばファンが常時稼動しているものとして、冷温が必要となった際にファンの回転速度を高速化して冷温効果を向上させるようにしてもよい。
【００７３】
また、ここでは、加温部１６０および冷温部１７０を用いた温度調整の例について説明したが、これに限らず、例えば低温時にはディスク駆動装置１００の動作を停止した状態で撮像装置２００を稼動させてその稼動に伴う熱による温度上昇を待つようにしてもよく、また、高温時にはディスク駆動装置１００の動作を停止させることにより自然に温度が低下するのを待つようにしてもよい。
【００７４】
このように、本発明の実施の形態によれば、温度センサー１４０により感知された温度と温度状態保持部１３３に保持された温度状態とから新温度状態決定部１３５によって新たな温度状態を決定することにより、ディスク駆動装置の動作制御にヒステリシス特性を持たせることができる。
【００７５】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００８３】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００８４】
【図１】本発明の実施の形態における撮像装置２００の一構成例を示す図である。
【図２】本発明の実施の形態における前回情報保存部１５０の一構成例を示す図である。
【図３】本発明の実施の形態における温度状態の一例を示す図である。
【図４】本発明の実施の形態における温度制御部１３０の温度状態管理機能の一例を示す図である。
【図５】本発明の実施の形態における温度制御部１３０の温度状態保存機能の一例を示す図である。
【図６】本発明の実施の形態における温度状態の遷移サイクルの一例を示す図である。
【図７】本発明の実施の形態における温度状態の遷移表の一例を示す図である。
【図８】本発明の実施の形態における温度状態の遷移図の一例を示す図である。
【図９】本発明の実施の形態におけるディスク駆動装置１００の動作制御表の一例を示す図である。
【図１０】本発明の実施の形態における撮像装置２００の処理手順の一例を示す図である。
【図１１】本発明の実施の形態における定常処理の処理手順の一例を示す図である。
【図１２】本発明の実施の形態における温度調整処理の処理手順の一例を示す図である。
【符号の説明】
【００８５】
１１  高温状態
１２  プリ高温状態
１３  標準状態
１４  低温状態
１００  ディスク駆動装置
１１０  記録媒体
１２０  ディスク制御部
１３０  温度制御部
１３１  現在日時タイマー
１３２  保存制御部
１３３  温度状態保持部
１３４  周期タイマー
１３５  新温度状態決定部
１３６  ディスク動作判定部
１３７  温度調整判定部
１３８  警告判定部
１４０  温度センサー
１５０  前回情報保存部
１６０  加温部
１７０  冷温部
２００  撮像装置
２１０  撮像部
２２０  再生部
２３０  電源供給部
２４０  電源制御部
２５０  操作受付部
２６０  表示部
【図１】
0004470883.tif 000002
【図２】
0004470883.tif 000003
【図３】
0004470883.tif 000004
【図４】
0004470883.tif 000005
【図５】
0004470883.tif 000006
【図６】
0004470883.tif 000007
【図７】
0004470883.tif 000008
【図８】
0004470883.tif 000009
【図９】
0004470883.tif 000010
【図１０】
0004470883.tif 000011
【図１１】
0004470883.tif 000012
【図１２】
0004470883.tif 000013